(57)【要約】  【課題】光を照射する皮膚の色の影響を低減でき、体動が生じた場合でも好適な測定が可能であり、装置の装着部分に隙間が発生して外光が入射した場合でも好適な測定が可能な生体状態検出装置を提供すること。  【解決手段】ステップ１００では、赤外光ＬＥＤ１９を用いて、体動信号を検出する。ステップ１１０では、体動信号に基づいて、体動の有無を判定し、ここで体動が無いと判断された場合のみ、ステップ１２０に進む。ステップ１２０では、体動が無く安静な状態であるので、この状態において、脈波検出に用いる光を決定する。即ち、皮膚の色によって脈波検出に用いるのに適した光が異なるので、可視光及び赤外光のどちらの光を用いて脈波を検出するかを決定する。ステップ１３０では、検出光として決定された光を用いて、周知の脈波の検出を行う。【選択図】図１０
2011019973.tif 000002
【特許請求の範囲】
【請求項１】
検出光を照射する光照射部と、前記検出光の反射光を受光する受光部と、を備え、前記反射光による出力信号に基づいて、生体の脈波を検出する生体状態検出装置において、
前記生体の体動を検出した場合には、前記出力信号の感度を調節して前記脈波を検出することを特徴とする生体状態検出装置。
【請求項２】
前記出力信号の感度を、前記検出光の光量によって調節することを特徴とする前記請求項１に記載の生体状態検出装置。
【請求項３】
前記生体の皮膚表面からの散乱反射光による出力信号のオフセットを調節するために、オフセット制御値を設定する構成を備え、
前記検出光の光量を変化させた場合には、前記オフセット制御値の調整幅を大きくすることを特徴とする前記請求項２に記載の生体状態検出装置。
【請求項４】
前記検出光の光量を変化させた場合には、前記光量の変化前の出力信号のレベルを所定範囲で維持することを特徴とする前記請求項２又は３に記載の生体状態検出装置。
【請求項５】
検出光を照射する光照射部と、前記検出光の反射光を受光する受光部と、を備え、前記反射光による出力信号に基づいて、生体の脈波を検出する生体状態検出装置において、
前記生体の皮膚表面からの散乱反射光による出力信号のオフセットを調節するために、オフセット制御値を設定する構成を備え、
前記生体状態を検出する際に、前記検出光の光量を調整する場合には、前記出力信号を所定の測定範囲に設定する目的で、前記オフセット制御値の調整幅を変化させることを特徴とする生体状態検出装置。
【請求項６】
検出光を照射する光照射部と、前記検出光の反射光を受光する受光部と、を備え、前記反射光による出力信号に基づいて、生体の脈波を検出する生体状態検出装置において、
前記生体の皮膚表面からの散乱反射光による出力信号のオフセットを調節するために、オフセット制御値を設定する構成を備えるとともに、
前記検出光の光量を調整する場合には、前記出力信号を所定の測定範囲に設定する目的で、前記オフセット制御値の調整幅を変化させる構成を備え、
前記外乱光の変化を検出した場合には、前記外乱光の変化を検出しない場合に比べて、前記調整幅を大きくすることを特徴とする生体状態検出装置。
【請求項７】
前記調整幅による前記オフセットの変化に対する追従が不十分な場合には、再度オフセット調整幅の設定を行うことを特徴とする前記請求項６に記載の生体状態検出装置。
【請求項８】
第１のサンプリング周期で、前記オフセットの変化に対する追従を行うとともに、第１のサンプリング周期より長い第２のサンプリング周期で、前記出力信号のデータの保存を行うことを特徴とする前記請求項６又は７に記載の生体状態検出装置。
【請求項９】
可視光を照射する可視光照射部と、赤外光を照射する赤外光照射部と、前記可視光及び赤外光の反射光を受光する受光部と、を備え、前記反射光による出力信号に基づいて、脈波及び体動のうち少なくとも一方の生体の状態を検出する生体状態検出装置において、
前記可視光のみの照射、赤外光のみの照射、及び可視光と赤外光とを同時に照射する構成を備えたことを特徴とする生体状態検出装置。
【発明の詳細な説明】
【技術分野】
【０００１】
本発明は、可視光や赤外光を用いて脈波や体動等の生体の状態を検出できる生体状態検出装置に関するものである。
【背景技術】
【０００２】
従来より、脈拍数等を検出するために、反射型光学式脈拍計（脈波センサ）が開発されている。この脈波センサとしては、例えば指先に装着するものが知られており、脈波センサから指に対して赤外光や可視光を照射して反射光を受光し、その出力信号に基づいて脈拍数等を検出するものがある。具体的には、可視光を照射する可視光照射部と、赤外光を照射する赤外光照射部と、前記可視光及び赤外光の反射光を受光する受光部と、を備え、前記反射光による出脈波を検出して脈拍数などを解析するものである。
【０００３】
また、近年では、脈波センサによる測定精度を向上させるために、各種の技術が提案されている。
例えば特許文献１には、赤外光等の反射光を受光するフォトダイオードの感度特性を制御することにより、脈波センサの容積脈波検出感度及びそのリニアリティなどを向上できる光電容積脈波計が提案されている。
【０００４】
また、特許文献２には、外乱や体動によって受光部からの出力信号が大きく変化するので、その突発的な変動に対応するために、増幅器の出力を所定のレベルにセットして（オフセットを調整して）、増幅器を正常に動作させるようにした脈波計測装置が提案されている。
【先行技術文献】
【特許文献】
【０００５】
【特許文献１】特許第３２０８５３８号公報
【特許文献２】特開２００２−２３８８６６号公報
【発明の概要】
【発明が解決しようとする課題】
【０００６】
しかしながら、上述した技術では、指先で脈波を検出する際には問題が無い場合でも、手首や腕などで脈波を検出する場合には、好適に脈拍などを測定できないという下記（Ａ）〜（Ｃ）の問題があった。
【０００７】
（Ａ）手首や腕に脈波センサを装着して脈波を検出する場合には、指先で測定する場合に比べて、皮膚の色の影響が大きいため、正確なデータを得ることが難しいという問題があった。
【０００８】
具体的には、脈波の検出に用いる光（検出光）として、例えば可視光を用いる場合には、可視光は皮膚の内部への浸透深度が浅いため、主として、皮膚の表面に近い血管で発生する血流（ヘモグロビン量）の変化から脈波を検出することになる。しかし、皮膚の色が黒い場合には、皮膚の色が白い場合と比べて可視光を吸収する度合いが大きく、皮膚の内部に浸透する光の量が減衰するため、精度良く脈波等を検出できないという問題があった。
【０００９】
一方、赤外光を用いる場合には、可視光より皮膚への浸透深度が深く、皮膚の色の影響も少ないために、可視光で検出するよりも精度良く脈波等を検出できるという利点がある。しかし、皮膚の色が白い場合などには、皮膚表面における散乱反射光が増加するため、脈波成分以外の例えば体動成分の影響が大きくなってしまい、測定精度が低下するという問題があった。
【００１０】
（Ｂ）また、手首や腕に脈波センサを装着して脈波等を検出する場合には、指先で測定する場合に比べて、体動の影響を受けやすいという問題があった。
具体的には、手首や腕で脈波を計測する場合には、指先で測定する場合に比べて脈波の感度が低いため、例えば皮膚に照射する検出光の光量を大きくし、増幅率（ゲイン）を高くしてセンサ感度をできるだけ確保する対策が考えられる。
【００１１】
しかし、腕振りなどの装着部位の動きによる血流（計測部位の血流量）の変化は、心臓の拍動による血流の変化に比べて、非常に大きくなる（数倍〜数十倍）ので、ゲインが固定されたままでは、信号がマイコンのＡ／Ｄの入力電圧範囲を超えてしまい、血流変化の波形を検出できない。
【００１２】
これを回避するために、信号がＡ／Ｄ変換器の入力範囲に入るよう調整する方法として、出力変化に伴うオフセット（ベースライン）を制御する方法や、光量変化などによって感度を制御する方法があるが、この調整時に発生するオフセットの変動幅は通常安静に発生するオフセットの変動幅よりも大きいために、通常のオフセット追従法では、オフセットが追従するまでに非常に時間がかかり、その間は脈波波形が検出できないという問題もある。
（Ｃ）更に、手首や腕で脈波を検出する場合には、指先の場合に比べて、脈波センサが
皮膚に密着する部分の柔らかさ（皮下脂肪の量）が十分でないため、脈波センサと手首や腕との間に隙間が生じ易い。そのため、隙間から太陽光等が入射すると、その影響は非常に大きいので、脈波の検出に支障が生じることがある。
【００１３】
この対策として、前記（Ｂ）の光量変化の場合と同様に、オフセットを調節することが考えられるが、同様に通常のオフセット追従法では、オフセットの追従に時間がかかるという問題もある。
【００１４】
本発明は、前記課題を解決するためになされたものであり、その目的は、（Ａ）光を照射する皮膚の色の影響を低減でき、（Ｂ）体動が生じた場合でも好適な測定が可能であり、（Ｃ）装置の装着部分に隙間が発生して外光が入射した場合でも好適な測定が可能な生体状態検出装置を提供することにある。
【課題を解決するための手段】
【００１５】
（１）請求項１の発明は、検出光を照射する光照射部と、前記検出光の反射光を受光する受光部と、を備え、前記反射光による出力信号に基づいて、生体の脈波を検出する生体状態検出装置において、前記生体の体動を検出した場合には、前記出力信号の感度を調節して前記脈波を検出することを特徴とする。
【００１６】
生体に体動が発生した場合には、例えば図１６（ｂ）に示す様に、出力信号は大きく変動し、マイコンのＡ／Ｄ入力範囲を逸脱してさちってしまう。
従って、本発明では、体動が発生した場合には、感度（出力信号の増幅率など）を調整することにより、出力信号をＡ／Ｄ入力範囲に収めることができる。よって、体動が発生した場合でも、好適に脈波を検出できる。
【００１７】
尚、感度の調整方法としては、例えばオペアンプの増幅率を制御したり、反射光を受光するフォトダイオードの感度を調節するなどの周知の方法を採用できる。
（２）請求項２の発明は、前記出力信号の感度を、前記検出光の光量によって調節することを特徴とする。
【００１８】
本発明は、感度の調整方法を例示したものであり、検出光の光量を調節することにより感度の調整が可能である。
（３）請求項３の発明は、前記生体の皮膚表面からの散乱反射光による出力信号のオフセットを調節するために、オフセット制御値を設定する構成を備え、前記検出光の光量を変化させた場合には、前記オフセット制御値の調整幅を大きくすることを特徴とする。
【００１９】
体動があった場合に検出光の光量を調節すると、オフセットは大きく変動する。そのため、通常のオフセット制御値の調整幅では、追従速度が遅く、その間は脈波を検出できない。
【００２０】
そこで、本発明では、体動があった場合には、光量変化に対応した大きなオフセットの変化に対応して、オフセット制御値の調整幅（オフセット調整幅）を通常より大きく設定している。これにより、オフセットの速やかな追従が可能であるので、脈波を速やかに検出できるという利点がある。
【００２１】
（４）請求項４の発明は、前記検出光の光量を変化させた場合には、前記光量の変化前の出力信号のレベルを所定範囲で（例えば同レベルで直線にて補間して）維持することを特徴とする。
【００２２】
体動の発生に対応して検出光の光量を低下させた場合（又は後述する外乱光の侵入があった場合）には、光量変化が大きく、光量調整を開始してからオフセットの追従が完了するまでは時間がかかる（図１８参照）。
【００２３】
従って、本発明では、その間のデータを例えば直線にて補間し、あたかも、オフセットが変動していないような仮想データを作成する。これによって、脈拍数をＦＦＴなどの計算によって算出する場合に、低周波成分の変動量が少なくなり、脈拍数検出が容易になるという利点がある。
【００２４】
（５）請求項５の発明は、検出光を照射する光照射部と、前記検出光の反射光を受
光する受光部と、を備え、前記反射光による出力信号に基づいて、生体の脈波を検出する生体状態検出装置において、前記生体の皮膚表面からの散乱反射光による出力信号のオフセットを調節するために、オフセット制御値を設定する構成を備え、前記生体状態を検出する際に、前記検出光の光量を調整する場合には、前記出力信号を所定の測定範囲に設定する目的で、前記オフセット制御値の調整幅を変化させることを特徴とする。
【００２５】
光量を変化させると皮膚表面の散乱反射光の光量（従ってオフセット）が変動するので、オフセットが過大な場合には、出力信号がマイコンのＡ／Ｄ入力範囲を超えてしまい、脈波が測定できない。
【００２６】
本発明では、光量を調整する際に、オフセット制御値の調整幅を変化させることができるので、例えば光量変化が大きい場合には、調整幅を増加させることにより、速やかな対応が可能である。つまり、速やかにオフセットを追従させることができるので、脈波等の検出を速やかに行うことができる。
【００２７】
（６）請求項６の発明は、検出光を照射する光照射部と、前記検出光の反射光を受光する受光部と、を備え、前記反射光による出力信号に基づいて、生体の脈波を検出する生体状態検出装置において、前記生体の皮膚表面からの散乱反射光による出力信号のオフセットを調節するために、オフセット制御値を設定する構成を備えるとともに、前記検出光の光量を調整する場合には、前記出力信号を所定の測定範囲に設定する目的で、前記オフセット制御値の調整幅を変化させる構成を備え、前記外乱光の変化を検出した場合には、前記外乱光の変化を検出しない場合に比べて、前記調整幅を大きくすることを特徴とする。
【００２８】
外乱光が入射した場合（又は入射していた状態から入射がなくなった場合）には、出力信号のオフセットは大きく変動する。そこで、本発明では、外乱光が入射した場合（又は入射していた状態から入射がなくなった場合）には、オフセット調整幅を通常より大きくする。これにより、速やかにオフセットの追従ができるので、脈波等の検出を速やかに行うことができる。
【００２９】
（７）請求項７の発明は、前記調整幅による前記オフセットの変化に対する追従が不十分な場合（例えばさちった状態が改善されない場合）には、再度オフセット調整幅の設定を行うことを特徴とする。
【００３０】
これにより、出力信号がさちらないように速やかにＡ／Ｄ入力範囲に収めることができる。
（８）請求項８の発明は、第１のサンプリング周期で、前記オフセットの変化に対する追従を行うとともに、第１のサンプリング周期より長い第２のサンプリング周期で、前記出力信号のデータの保存を行うことを特徴とする。
【００３１】
これにより、オフセットの追従の制御を頻度よく実施することができるとともに、データの保存はそれより少ない頻度で実施するので、メモリを節約しながらオフセット追従をより確実にできるという利点がある。
【００３２】
（９）請求項９の発明は、可視光を照射する可視光照射部と、赤外光を照射する赤外光照射部と、前記可視光及び赤外光の反射光を受光する受光部と、を備え、前記反射光による出力信号に基づいて、脈波及び体動のうち少なくとも一方の生体の状態を検出する生体状態検出装置において、前記可視光のみの照射、赤外光のみの照射、及び可視光と赤外光とを同時に照射する構成を備えたことを特徴とする。
【００３３】
本発明では、可視光のみを照射、赤外光のみを照射、可視光及び赤外光を同時照射する構成を備えているので、可視光のみを照射した際の出力信号と、赤外光のみを照射した際の出力信号と、可視光及び赤外光を同時照射した際の出力信号とを得ることができる。
【００３４】
これらの出力信号間には、例えば図２４に示す様に、ＦＦＴ処理後の体動成分や脈拍成分の出力（パワー）の状態（例えば体動成分／脈拍成分の比）に、一定の関係があるので、例えばこの比に基づいて脈波や体動に好適な検出光を決定することができる。
【００３５】
尚、上述した生体状態検出装置の機能を実現するための各手段は、コンピュータのプログラムにより実行される処理により実現することができる。
また、このプログラムは記録媒体に記録して使用することができる。この記録媒体としては、マイクロコンピュータとして構成される電子制御装置、マイクロチップ、フレキシブルディスク、ハードディスク、光ディスク等の各種の記録媒体が挙げられる。つまり、上述した生体状態検出装置の処理を実行させることができるプログラムを記憶したものであれば、特に限定はない。
【図面の簡単な説明】
【００３６】
【図１】皮膚の色によって出力信号が変動する状態を示す説明図である。
【図２】出力信号の意味する内容を示す説明図である。
【図３】皮膚の色とオフセットの関係を示す説明図である。
【図４】可視光を用いた場合の皮膚の色と脈拍振幅の関係を示す説明図である。
【図５】赤外光を用いた場合の皮膚の色と脈拍振幅の関係を示す説明図である。
【図６】オフセット制御値の調整幅を示す説明図である。
【図７】実施例１の生体情報検出装置の構成を示す説明図である。
【図８】検出回路等の構成を示す説明図である。
【図９】出力信号とオフセット制御値の関係を示す説明図である。
【図１０】実施例１のメインルーチンを示すフローチャートである。
【図１１】実施例１の検出光決定処理を示すフローチャートである。
【図１２】実施例２の検出光決定処理を示すフローチャートである。
【図１３】実施例３の検出光決定処理を示すフローチャートである。
【図１４】実施例４の検出光決定処理を示すフローチャートである。
【図１５】実施例４の脈波の振幅を最大にするための処理を示すフローチャートである。
【図１６】実施例５の体動があった場合の出力信号の変化を示すグラフである。
【図１７】実施例５のオフセット調整等の処理を示すフローチャートである。
【図１８】実施例６のオフセットの変化を直線補間する方法を示すフローチャートである。
【図１９】実施例７の外乱があった場合の出力信号の変化を示すフローチャートである。
【図２０】実施例７のオフセット調整等の処理を示すフローチャートである。
【図２１】実施例８のオフセット調整等の処理を示すフローチャートである。
【図２２】実施例９のオフセット調整等の処理を示すフローチャートである。
【図２３】実施例１０のオフセット調整等の処理を示すフローチャートである。
【図２４】実施例１１のＦＦＴ処理後のデータを示す説明図である。
【発明を実施するための形態】
【００３７】
以下に本発明の最良の実施形態（実施例）を、図面と共に説明する。
【実施例１】
【００３８】
本実施例の生体状態検出装置は、脈波や体動を検出する場合に、人の皮膚の色等に対応して、脈波又は体動の検出に適した可視光又は赤外光を選択して用いるものである。
ａ）まず、本実施例の生体状態検出装置の構成を説明する。
【００３９】
図７に示す様に、本実施例の生体状態検出装置１は、人体の脈拍や体動を検出することができる装置であり、主として、データ処理装置３と、脈波センサ５と、脈波センサ５を駆動する駆動回路７と、脈波センサ３からの信号を入力して増幅する検出回路１１とから構成されている。
【００４０】
このうち、前記データ処理装置３は、検出回路１１からのアナログ信号をＡ／Ｄ変換するＡ／Ｄ変換器１３と、Ａ／Ｄ変換器１３からのデジタル信号を処理して脈波数の検出等の各種の演算処理を行うマイクロコンピュータ１５と、マイクロコンピュータからの信号をＤ／Ａ変換するＤ／Ａ変換器１６とを備えている。
【００４１】
前記脈波センサ５は、人体の手首や腕等に装着される装置であり、後に詳述するように、発光素子として、可視光（緑色）ＬＥＤ１７と赤外光ＬＥＤ１９を備えるとともに、受光素子として、フォトダイオード（ＰＤ）２１を備えている。
【００４２】
前記駆動回路７は、可視光ＬＥＤ１７と赤外光ＬＥＤ１９とに対して、それぞれ異なるタイミングで可視光又は赤外光を照射させるための駆動信号を出力する。
前記検出回路１１は、図８に示す様に、脈波センサ５からの信号を増幅器（オペアンプ）１２により増幅する。また、マイクロコンピュータ１５からの制御信号（オフセット制御値ＯＳ）により、脈波センサ５からの信号（ＳＳ）のオフセットを調節する。
【００４３】
尚、データ処理装置３と駆動回路７とは、生体状態検出装置本体９の筐体内に収容されているが、脈波センサ５と一体となっていてもよい。
ｂ）次に、前記脈波センサ５について、更に詳細に説明する。
【００４４】
前記図７に示す様に、前記脈波センサ５は、可視光である約５２０ｎｍの波長の緑色光を（装着部位である）手首等に照射する可視光（緑色光）ＬＥＤ１７と、同様に約９５０ｎｍの波長の赤外光を手首等に照射する赤外光ＬＥＤ１９と、人体に照射された可視光又は赤外光の反射光をそれぞれ受光するＰＤ２１とを備える光学式反射型センサである。
【００４５】
この可視光ＬＥＤ１７、赤外光ＬＥＤ１９、ＰＤ２１は、それぞれ脈波センサ５の筐体の底部に、ＰＤ２１を挟んで左右に可視光ＬＥＤ１７と赤外光ＬＥＤ１９とが位置するように並列して配置され、透明な樹脂製の窓を介して、可視光又は赤外光を人体に対して照射できるようにされている。
【００４６】
前記脈波センサ５では、可視光ＬＥＤ１７又は赤外光ＬＥＤ１９から人体に向かって光が照射されると、光の一部が人体の内部を通る小・細動脈（毛細動脈）にあたって、毛細動脈を流れる血液中のヘモグロビンに吸収され、残りの光が毛細動脈で反射して散乱し、その一部が受光素子であるＰＤ２１に入射する。この時、血液の脈動により毛細動脈にあるヘモグロビンの量が波動的に変化するので、ヘモグロビンに吸収される光も波動的に変化する。また、血管径の変化によっても、ヘモグロビンの量が変化する。その結果、毛細動脈で反射してＰＤ２１で検出される受光量が変化し、その受光量の変化を脈波情報（例えば電圧信号）としてデータ処理装置３に出力する。
【００４７】
従って、データ処理装置３に入力した（可視光ＬＥＤ１７又は赤外光ＬＥＤ１９から照射された光の反射波に対応した）信号を用いることにより、後述する様にして、脈拍数等の生体の状態を求めることができる。
【００４８】
尚、図７では、毛細動脈に照射されて反射する光を点線で示し、皮膚の表面で反射する光を実線で示している。
ｃ）次に、脈波センサ５から出力される信号等の主な処理方法について説明する。
【００４９】
・脈波センサ５から出力される信号は、検出回路１１にて所定の増幅率（ゲイン）にて増幅され、Ａ／Ｄ変換器１３に入力されるが、この増幅率は変更が可能である。
具体的には、例えば各検出光の光量によって増幅率を変更する場合には、マイクロコンピュータ１５から出力される制御信号が、駆動回路７に出力され、駆動回路７によって各ＬＥＤ１７、１９の印加電圧が調節される。これにより、各検出光の光量を変化させて、増幅率を調節することができる。
【００５０】
尚、光量の調節により増幅率を変更する手法以外に、マイクロコンピュータ１５からの制御信号により、検出回路１１に配置された増幅器１２の増幅率を直接に調節する方法や、ＰＤ２１の感度を調節する手法を採用することができる。
【００５１】
・また、光量を調節する場合には、光量の増減に伴って反射光の光量も大きく増減し、よって、出力信号のオフセットが大きく変動する。従って、光量を調節する場合には、そのオフセット（詳しくは検出回路１１から出力される信号のオフセット）を調節する必要が生じることある。
【００５２】
具体的には、検出光の光量を増加させることによりオフセットが増加し、逆に、光量を減少させることによりオフセットが減少する。従って、例えばオフセットが過大となり、検出回路１１から出力される信号がマイコンのＡ／Ｄ入力電圧範囲（Ａ／Ｄ入力範囲）を外れると、脈波の検出ができないので、図８に示す様に、脈波センサ５から出力される信号からオフセット制御値を減算するようにしている。これにより、出力信号の電圧レベルを任意に設定することができる。
【００５３】
つまり、図９に示す様に、マイクロコンピュータ１５においては、Ａ／Ｄ変換器１３によるＡ／Ｄ変換値に対する上限レベルと下限レベル（Ａ／Ｄ入力範囲）が決められており、受光信号レベルがオフセットを変動させる上限の閾値に達すると直流成分のレベルを強制的に所定値だけ下げ、逆に下限の閾値に達すると直流成分を強制的に所定量だけ上げるようにしている。これによって、いわゆる出力信号が「さちる」という現象を防止して、常に、Ａ／Ｄ入力範囲内において、脈波信号が得られるようにしている。
【００５４】
ｄ）次に、データ処理装置３の処理内容について説明する。
本処理は、体動の無い安静時に、脈波を検出するために、可視光及び赤外光のどちらを使用するかを、脈波センサ５からの信号の処理を開始してから５分以内に決定するものであり、以後、その決定された光（検出光）を用いて脈波を検出する。以下、詳細に説明する。
【００５５】
(1)メインルーチン
図１０は、本実施例における全体の処理の流れを示すメインルーチンである。
まず、図１０のステップ（Ｓ）１００では、（初期設定として）赤外光ＬＥＤ１９を用いて、体動信号を検出する。ここで、赤外光ＬＥＤ１９を用いるのは、通常、可視光を用いた場合より赤外光を用いた方が、脈波の影響が少ないからである。
【００５６】
続くステップ１１０では、前記体動信号に基づいて、体動の有無を判定し、ここで体動が無いと判断された場合のみ、ステップ１２０に進む。
ステップ１２０では、体動が無く安静な状態であるので、この状態において、脈波検出に用いる光を決定する。即ち、皮膚の色によって脈波検出に用いるのに適した光が異なるので、可視光及び赤外光のどちらの光を用いて脈波を検出するかを決定する。
【００５７】
続くステップ１３０では、検出光として決定された光を用いて、周知の脈波の検出を行い、一旦本処理を終了する。
以下各ステップの処理について説明する。
【００５８】
(2)前記ステップ１１０の体動判定処理
この体動判定の処理としては、例えば特開２００５−１６０６４０号公報、特開２００２−３５５２２７号公報、特開２００５−１１０９２０号公報の記載の手法など、各種の周知の手法を採用できる。
【００５９】
例えば特開２００５−１１０９２０号公報では、赤外光を用いて体動信号を求め、この体動信号を周知のＦＦＴ処理している。そして、その処理結果（周波数スペクトル）から、体動成分を示す周波数ピークが所定の閾値以上か否かという判定により、体動を検出している。
【００６０】
(3)前記ステップ１２０の検出光判定処理
この検出光判定処理とは、脈波を検出するために使用する検出光を決定するための処理である。すなわち、図３に示す様に、肌の色が黒い人と白い人では、皮膚表面の散乱反射光の光量が異なり、それによって図２に示すオフセットが異なるので、所定の閾値（ＰＯmin）を用いてオフセットを判定することにより、肌の色が黒いか白いかを判定して、
皮膚の色に最も対応した検出光を決定するものである。以下、フローチャートに基づいて説明する。
【００６１】
図１１に示す様に、まず、ステップ２００では、可視光を用いて脈波信号を検出する。
続くステップ２１０では、オフセット制御値を確認する。つまり、常時は出力信号の変動に合わせて、出力電圧がＡ／Ｄ入力範囲から逸脱しない様に、即ち好ましいオフセットとするために、オフセット制御値（図６参照）が設定されているので、このオフセット制御値を取得するものである。
【００６２】
続くステップ２２０では、オフセット制御値が閾値ＰＯminを上回るか否かを判定する。ここで肯定判断されるとステップ２３０に進み、一方否定判断されるとステップ２５０に進む。
【００６３】
ステップ２３０では、オフセット制御値がＰＯminより大きいので、図３に示す様に、測定対象の人の皮膚が白いと考えられるので、図１に示す様に、皮膚の色の白い人の脈波の検出に適した可視光を脈波検出用の検出光として設定する。そして、この可視光を用いて脈波を検出する。
【００６４】
尚、検出光を用いて脈波を検出する手法としては、周知の各種の手法を採用できる。例えば特開２００５−１１０９２０号公報の手法では、可視光を用いて脈波信号を求めるとともに赤外光を用いて体動信号を求め、この脈波信号及び体動信号を周知のＦＦＴ処理している。そして、その処理結果（周波数スペクトル）から、その中の最大ピークを有する成分を脈拍成分として特定している。また、その際に、体動が有る場合には、体動成分が周波数スペクトルに現れるので、体動信号から求めた体動成分を除去することにより、脈拍成分のみを取り出すことができる。
【００６５】
続くステップ２４０では、前記ステップ２３０で可視光を脈波検出用の検出光として設定したので、ここでは、赤外光を体動検出用の検出光として設定する。
尚、検出光を用いて体動を検出する手法としては、周知の各種の手法を採用できる。例えば前記特開２００５−１１０９２０号公報の手法では、赤外光を用いて体動信号を求め、この体動信号を周知のＦＦＴ処理している。そして、その処理結果（周波数スペクトル）から、体動成分を示す周波数ピークが所定の閾値以上か否かという判定により、体動を検出している。
【００６６】
一方、ステップ２５０では、オフセット制御値がＰＯminより小さいので、図３に示す様に、測定対象の人の皮膚が黒いと考えられるので、図１に示す様に、皮膚の色の黒い人の脈波の検出に適した赤外光を脈波検出用の検出光として設定する。そして、この赤外光を用いて脈波を検出する。
【００６７】
尚、赤外光を用いて脈波を検出する手法は、基本的に可視光を用いて脈波を検出する周知の手法と同様（周波数スペクトルやそのピークの大きさ等により体動と区別する）であるので、その説明は省略する。
【００６８】
続くステップ２６０では、前記ステップ２５０で赤外光を脈波検出用の検出光として設定したので、ここでは、可視光を体動検出用の検出光として設定する。
尚、可視光を用いて体動を検出する手法は、基本的に赤外光を用いて体動を検出する周知の手法と同様であるので、その説明は省略する。
【００６９】
この様に、本実施例では、体動の無い安静の状態で、人の皮膚の色に対応して、脈波及び体動を行う際に、その検出に最も適した検出光を設定している。よって、最適な検出光を用いることにより、脈波及び体動の検出を精度良く行うことができる。また、体動と脈波の検出に用いる検出光を区別することにより、精度の高い脈波等の測定が可能である。
【実施例２】
【００７０】
次に、実施例２について説明するが、前記実施例１と同じ内容の説明は省略する。
図４に示す様に、肌の色が黒い人と白い人では、皮膚表面の散乱反射光の光量が異なるので、可視光及び赤外光の出力信号を同じ増幅率で増幅した場合には、脈波振幅が異なる。従って、本実施例では、所定の閾値（ＰＡmin）を用いて脈波振幅を判定することにより、肌の色が黒いか白いかを判定して、皮膚の色に最も対応した検出光を決定する。以下、フローチャートに基づいて説明する。
【００７１】
図１２に示す様に、まず、ステップ３００では、可視光を用いて脈波信号を検出する。
続くステップ３１０では、脈波振幅を求める。
続くステップ３２０では、脈波振幅が閾値ＰＡminを上回るか否かを判定する。ここで
肯定判断されるとステップ３３０に進み、一方否定判断されるとステップ３５０に進む。
【００７２】
ステップ３３０では、脈波振幅がＰＡminより大きいので、図４に示す様に、測定対象の人の皮膚が白いと考えられるので、図１に示す様に、皮膚の色の白い人の脈波の検出に適した可視光を脈波検出用の検出光として設定する。そして、この可視光を用いて脈波を検出する。なお、図５に示す様に、赤外光で脈波を検出する場合には、個人差が大きいと考えられる。
【００７３】
続くステップ３４０では、前記ステップ３３０で可視光を脈波検出用の検出光として設定したので、ここでは、赤外光を体動検出用の検出光として設定する。
一方、ステップ３５０では、脈波振幅がＰＡminより小さいので、図３に示す様に、測定対象の人の皮膚が黒いと考えられるので、図１に示す様に、皮膚の色の濃い人の脈波の検出に適した赤外光を脈波検出用の検出光として設定する。そして、この赤外光を用いて脈波を検出する。
【００７４】
続くステップ３６０では、前記ステップ３５０で赤外光を脈波検出用の検出光として設定したので、ここでは、可視光を体動検出用の検出光として設定する。
本実施例によっても、前記実施例１と同様な効果を奏する。
【実施例３】
【００７５】
次に、実施例３について説明するが、前記実施例１と同じ内容の説明は省略する。
本実施例では、可視光又は赤外光のいずれ脈波又は体動に検出に用いるかを決定する場合には、両検出光の脈波振幅の大小により決定する。つまり、脈波と体動では、脈波による信号の振幅が小さいので、脈波の検出を優先して検出光を決定する。以下、フローチャートに基づいて説明する。
【００７６】
図１３に示す様に、まず、ステップ４００では、可視光を用いて脈波信号を検出し、脈波振幅を求める。
続くステップ４１０では、赤外光を用いて脈波信号を検出し、脈波振幅を求める。
【００７７】
続くステップ４２０では、両検出光による脈波振幅の大小を比較する。
ステップ４３０では、可視光の脈波振幅が大であるので、可視光で脈波を検出するように設定して、脈波を検出する。
【００７８】
続くステップ４４０では、赤外光で体動を検出するように設定して、体動を検出する。
一方、ステップ４５０では、赤外光の脈波振幅が大であるので、赤外光で脈波を検出するように設定して、脈波を検出する。
【００７９】
続くステップ４６０では、可視光で体動を検出するように設定して、体動を検出する。
従って、本実施例では、可視光と赤外光の両脈波振幅の大小を比較するので、体動より検出しにくい脈波検出に最適な検出光を精度良く設定できるという利点がある。
【実施例４】
【００８０】
次に、実施例４について説明するが、前記実施例１と同じ内容の説明は省略する。
本実施例では、可視光及び赤外光による脈波振幅を比較する場合には、各脈波振幅を最大になるように光量を設定する。以下、フローチャートに基づいて説明する。
【００８１】
ａ）図１４に示す様に、まず、ステップ５００では、後述する様に、脈波振幅が最大となる様に、可視光の光量を調整する。
続くステップ５１０では、光量が調整された可視光を用いて脈波信号を検出し、脈波振幅を求める。
【００８２】
続くステップ５２０では、前記ステップ５００と同様に、脈波振幅が最大となる様に、赤外光の光量を調整する。
続くステップ５３０では、赤外光を用いて脈波信号を検出し、脈波振幅を求める。
【００８３】
続くステップ５４０では、両検出光による脈波振幅の大小を比較する。
ステップ５５０では、可視光の脈波振幅が大であるので、可視光で脈波を検出するように設定して、脈波を検出する。
【００８４】
続くステップ５６０では、赤外光で体動を検出するように設定して、体動を検出する。
一方、ステップ５７０では、赤外光の脈波振幅が大であるので、赤外光で脈波を検出するように設定して、脈波を検出する。
【００８５】
続くステップ５８０では、可視光で体動を検出するように設定して、体動を検出する。
ｂ）次に、前記ステップ５００の可視光の調整方法について、図１５のフローチャートに基づいて説明する。
【００８６】
図１５のステップ６００で、可視光の光量を、所定の基準量アップするように調整する。
続くステップ６１０では、光量をアップした可視光を用いて、脈波を検出する。
【００８７】
続くステップ６２０では、光量をアップした際のオフセット調整に用いられるオフセット制御値を確認する（取得する）。
続くステップ６３０では、オフセット制御値がＤ／Ａ出力範囲より大か否かを判定する。つまり、出力信号のＤ／Ａ入力された値に基づいてＤ／Ａフィードバックがかけられるが（即ちオフセット制御値が出力されるが）、このオフセット制御値の出力が限界の時（例えば１０bitであれば１０２４の時）には、オフセット（従って出力信号）がさちって
いると判定できるので、この判定にて、さちった状態を検出するものである。
【００８８】
ここでオフセット制御値がＤ／Ａ出力範囲以下であると判断されると、まだ光量をアップする余地があるので、再度光量を基準量アップする。
一方、ここでオフセット制御値がＤ／Ａ出力範囲より大であると判断されるとステップ６４０に進む。つまり、オフセット制御値がＡ／Ｄ入力範囲を上回った場合には、光量が多すぎるので、基準量だけ光量をダウンする。
【００８９】
続くステップ６５０では、上述した処理によって決定された光量を最適光量として設定し、一旦本処理を終了する。
これにより、脈波振幅を最大になるように光量を設定することができる。
【００９０】
本実施例では、可視光と赤外光の両脈波振幅の大小を比較する際に、両脈波振幅が最大となる様に調節するので、（体動より検出しにくい）脈波の検出に最適な検出光を一層精度良く設定できるという利点がある。
【００９１】
尚、光量の制御の際には、例えば光量の制御量に応じて、後述する様に、オフセット制御値の調整幅を変更する様に制御してよい。これにより、オフセットの追従速度が増加するという利点がある。
【実施例５】
【００９２】
次に、実施例５について説明するが、前記実施例１と同じ内容の説明は省略する。
本実施例の生体状態検出装置は、体動が発生した場合には、出力信号が大きく変動するので、検出光の光量を調節して、感度及びオフセットを調整するものである。
ａ）まず、本実施例の原理について説明する。
【００９３】
図１６（ａ）に示す様に、体動の無い安静時には、（通常の安静時に適した感度調整された）出力信号はＡ／Ｄ入力範囲内であるので、この出力信号をマイクロコンピュータ１５に取り込んで、脈波等の検出を行うことができる。
【００９４】
しかし、運動時などの様な体動がある場合には、図１６（ｂ）に示す様に、出力信号の振幅が大きくなって、Ａ／Ｄ入力範囲を逸脱してしまう。従って、この出力信号から脈波等を精度良く検出できない。
【００９５】
従って、その様な場合には、図１６（ｃ）に示す様に、再度、（通常の安静時の感度調整でなく）体動に適した感度調整を行うことにより、出力信号をＡ／Ｄ入力範囲内に治めることができる。
ｂ）次に、本実施例の制御処理について説明する。
【００９６】
図１７のフローチャートに示す様に、ステップ７００では、例えば赤色光により、体動信号を検出する。
続くステップ７１０では、体動信号に基づいて、体動の有無を判定する。ここで肯定判断されるとステップステップ７２０に進み、一方否定判断されるとステップ７６０に進む。
【００９７】
ステップ７２０では、体動があり、よって、前記図１６（ｃ）の様に出力信号が大きな振幅で振動する可能性があるので、出力信号がＡ／Ｄ入力範囲を越えているか否かを判定する。ここで肯定判断されるとステップ７３０に進み、一方否定判断されるとステップ７５０に進む。
【００９８】
ステップ７５０では、体動に応じて規定された光量調整分のオフセット調整幅（図６参照）であるαを０に設定し、ステップ７６０に進む。
一方、ステップ７３０では、出力信号が前記図１６（ｃ）の様にＡ／Ｄ入力範囲を外れる様な大きな振幅となっているので、出力信号がＡ／Ｄ入力範囲内に入る様に、可視光の光量を調節して、感度を調整する。
【００９９】
続くステップ７４０では、前記光量調整分のオフセット調整幅をαに設定する。このαの値は、前記図６に示す様に、通常の脈波検出時のオフセット調整幅γよりも大きな光量調節の際のオフセット調整幅である。
【０１００】
つまり、前記ステップ７３０では、感度を調整するために光量を調節したが、それによってオフセットも大きく変化しているので、出力信号ができる限りＡ／Ｄ入力範囲となる様に、オフセット調整幅αを設定する。尚、光量調節によるオフセット調整幅は、通常のオフセット調整幅γの例えば２０倍である。
【０１０１】
続くステップ７６０では、出力信号の前回値が、オフセット変動閾値範囲外か否かを判定する。ここで肯定判断されるとステップ７７０に進み、一方否定判断されるとステップ７７５に進む。
【０１０２】
ステップ７７５では、オフセット調整幅γを０に設定して、ステップ７８０に進む。
一方、ステップ７７０では、出力信号の前回値が、オフセット変動閾値範囲外であるので、通常のオフセット調整幅γを設定する。
【０１０３】
続くステップ７８０では、前記調整幅の合計量（α＋γ）をオフセット調整幅としてオフセット制御値を求める。そして、このオフセット制御値を検出回路１１に出力して、出力信号のオフセット調整を行う。
【０１０４】
続くステップ７９０では、オフセット調整された後の出力信号を用いて脈波信号を検出する。
続くステップ７９５では、α、β、γを初期値の０に設定し、前記ステップ７００に戻る。
【０１０５】
本実施例では、体動に応じて光量を変化させて感度を調整する。また、光量変化に伴ってオフセットも大きく変化するので、光量の変化に対応してオフセット調整幅を変更することにより、速やかにオフセット調整（オフセット追従）を行うことができる。
【実施例６】
【０１０６】
次に、実施例６について説明するが、前記実施例５と同じ内容の説明は省略する。
光量を変化させた場合には、出力信号のオフセットが大きく変動する。従って、その場合は、例えば図１８に示す様に、出力信号は、Ｓ１、Ｓ２の様に変化する。そして、この様な場合は、オフセット調整を行って、例えばＳ２の電圧レベルを上げてＳ３の信号に調整する。
【０１０７】
しかし、オフセットの追従に時間がかかる場合には、光量調整発生からオフセット追従終了（期間Ｋ）までは、脈波信号が得られないことになる。
従って、本実施例では、Ｓ４に示す様に、Ｓ１の信号レベルが期間Ｋにわたり維持されるように、光量調整開始時の出力信号とオフセット追従後の出力信号との間を直線補間している。
【０１０８】
これにより、期間Ｋにおいても、オフセットが大きく変化していないかのような脈波信号に相当する信号が得られるので、脈拍数をＦＦＴなどの計算によって算出する場合に、低周波成分の変動量が少なくなり、脈拍数検出が容易になるという利点がある。
【実施例７】
【０１０９】
次に、実施例７について説明するが、前記実施例１と同じ内容の説明は省略する。
図１９に示す様に、外乱光が入射した場合には、出力信号のオフセットが大きく変動するので、本実施例ではそれに対応したオフセット追従の処理を行う。
【０１１０】
図２０に示す様に、外乱光が入射したか否かを判定する。つまり、外乱光が入射した場合は、通常より極めて大きな光がＰＤ２１に入射するので、所定値以上の光が入射した場合には、外乱光が入射したと判断することができる。
【０１１１】
ここで肯定判断されるとステップ８１０に進み、一方否定判断されるとステップ８２０に進む。
ステップ８１０では、外乱光入射分に対応したオフセット調整幅βを設定する（図６参照）。
【０１１２】
続くステップ８２０では、出力信号の前回値が、オフセット変動閾値範囲外か否かを判定する。ここで肯定判断されるとステップ８３０に進み、一方否定判断されるとステップ８４０に進む。
【０１１３】
ステップ８３０では、通常のオフセット調整幅γを設定する。
続くステップ８４０では、前記設定値の合計量（β＋γ）をオフセット調整幅としてオフセット制御値を求め、このオフセット制御値を検出回路１１に出力して、出力信号のオフセット調整を行う。
【０１１４】
続くステップ８５０では、オフセット調整された後の出力信号を用いて脈波信号を検出する。
この様に、本実施例では、外乱光が入射した場合には、そのオフセット調整を行うので、精度良く脈波等の検出を行うことができる。また、オフセット調整の調整幅は外乱光に応じて設定できるので、追従速度が速いという利点がある。
【実施例８】
【０１１５】
次に、実施例８について説明するが、前記実施例１と同じ内容の説明は省略する。
本実施例は、外乱光の入射及び体動があった場合の処理に関するものである。
図２１に示す様に、ステップ９００では、外乱光が入射したか否かを判定する。ここで肯定判断されるとステップ９１０に進み、一方否定判断されるとステップ９２０に進む。
【０１１６】
ステップ９１０では、外乱光入射分に対応したオフセット調整幅βを設定する（図６参照）。
続くステップ９２０では、例えば赤色光により、体動信号を検出する。
【０１１７】
続くステップ９３では、体動信号に基づいて、体動の有無を判定する。ここで肯定判断されるとステップステップ９４０に進み、一方否定判断されるとステップ９７０に進む。
ステップ９４０では、体動があるので、出力信号がＡ／Ｄ入力範囲を越えているか否かを判定する。ここで肯定判断されるとステップ９５０に進み、一方否定判断されるとステップ９７０に進む。
【０１１８】
ステップ９５０では、出力信号がＡ／Ｄ入力範囲内に入る様に、可視光の光量を調節して、出力信号のゲインを調整する。
続くステップ９６０では、光量調整分のオフセット調整幅をαに設定する（図６参照）。
続くステップ９７０では、出力信号の前回値が、オフセット変動閾値範囲外か否かを判定する。ここで肯定判断されるとステップ９８０に進み、一方否定判断されるとステップ９９０に進む。
【０１１９】
ステップ９８０では、出力信号の前回値が、オフセット変動閾値範囲外であるので、通常のオフセット調整幅γを設定する。
続くステップ９９０では、前記設定値の合計量（α＋β＋γ）をオフセット調整幅としてオフセット制御値を求め、このオフセット制御値を検出回路１１に出力して、出力信号のオフセット調整を行う。
【０１２０】
続くステップ１０００では、オフセット調整された後の出力信号を用いて脈波信号を検出する。
続くステップ１０１０では、α、β、γを初期値の０に設定し、前記ステップ９００に戻る。
【０１２１】
本実施例では、外乱光による光量の変化及び体動に応じて設定された光量の変化に対応してオフセット調整幅を変更することにより、速やかにオフセット調整（オフセット追従）を行うことができる。
【実施例９】
【０１２２】
次に、実施例９について説明するが、前記実施例１と同じ内容の説明は省略する。
本実施例は、何度もオフセット調整を行うものである。
図２２に示す様に、ステップ１１００では、外乱光判定を行う。具体的には、図２１のステップ９００〜９２０の処理を行う。
【０１２３】
続くステップ１１１０では、体動判定を行う。具体的には、図２１のステップ９３０〜９６０の処理を行う。
続くステップ１１２０では、出力信号の前回値が、オフセット変動閾値範囲外か否かを判定する。ここで肯定判断されるとステップ１１３０に進み、一方否定判断されるとステップ１１４０に進む。
【０１２４】
ステップ１１３０では、上述の各実施例と同様に、前記設定値の合計量（α＋β＋γ）をオフセット調整幅としてオフセット制御値を求め、このオフセット制御値を検出回路１１に出力して、出力信号のオフセット調整を行う。
【０１２５】
ステップ１１４０では、脈波信号を検出し、その後、前記ステップ１１２０に戻る。尚、前記ステップ１１２０〜１１４０が、オフセット追従のために繰り返されるルーチンである。
【０１２６】
一方、ステップ１１５０では、通常のオフセット調整幅γを設定する。
続くステップ１１６０では、脈波信号を検出し、前記ステップ１１００に戻る。
本実施例では、オフセット追従の処理を繰り返すので、精度良くしかも速やかにオフセットの追従が可能であるという利点がある。
【実施例１０】
【０１２７】
次に、実施例１０について説明するが、前記実施例１と同じ内容の説明は省略する。
本実施例は、本来のサンプリング周期（例えば５０msec）よりも短い周期（例えば１０msec）でサンプリングを行ってオフセット調整を行うものである。
【０１２８】
図２３に示す様に、ステップ１２００では、外乱光判定を行う。
続くステップ１２１０では、体動判定を行う。
続くステップ１２２０では、出力信号の前回値が、オフセット変動閾値範囲外か否かを判定する。ここで肯定判断されるとステップ１２３０に進み、一方否定判断されるとステップ１２４０に進む。
【０１２９】
ステップ１２３０では、通常のオフセット調整幅γを設定する。
続くステップ１２４０では、上述の各実施例と同様に、前記設定値の合計量（α＋β＋γ）をオフセット調整幅としてオフセット制御値を求め、このオフセット制御値を検出回路１１に出力して、出力信号のオフセット調整を行う。
【０１３０】
ステップ１２５０では、脈波信号を検出する。
続くステップ１２６０では、本来のサンプリング周期か否かを判定する。ここで肯定判断されるとステップ１２７０に進み、一方否定判断されるとステップ１２８０に進む。
【０１３１】
ステップ１２７０では、本来のサンプリング周期であるので、検出した信号を、脈波信号、体動信号として保存する。
続くステップ１２８０では、α、β、γを初期値の０に設定し、前記ステップ１２００に戻る。
【０１３２】
本実施例では、短い周期でオフセット調整を行うので、速やかにオフセット調整を終了することができるという利点がある。また、脈波信号や体動信号として記憶するデータは、長い周期のサンプリングデータであるので、メモリを節約できるという利点がある。
【実施例１１】
【０１３３】
次に、実施例１１について説明するが、前記実施例１と同様な内容の説明は省略する。
本実施例では、可視光のみの照射と、赤外光のみの照射と、可視光及び赤外光の同時照射とを、それぞれ異なるタイミングで実施し、各反射光によって得られる出力信号に基づいて、脈波の検出に用いる検出光を決定する。以下具体的に説明する。
【０１３４】
可視光のみを照射した場合の反射光の出力信号、赤外光のみを照射した場合の反射光の出力信号、可視光及び赤外光を同時照射した場合の出力信号を、それぞれＦＦＴ処理した結果を、図２４に例示する。
【０１３５】
この図２４から明らかな様に、体動がある場合には、その体動の状態を示す周波数成分のパワーのピークは、可視光のみの照射の解析結果、赤外光のみの照射の解析結果、可視光及び赤外光の同時照射の解析結果がそれぞれ異なるので、例えば体動成分／脈拍成分のパワーの比をとった場合も、それぞれ異なっている。
【０１３６】
従って、可視光及び赤外光の同時照射の場合の比を基準として、可視光のみの場合の比や赤外光のみの場合の比を比較することにより、可視光及び赤外光のどちらを体動及び脈波のどちらの検出に用いるかを決定することができる。
【０１３７】
例えば可視光のみの場合の比が可視光及び赤外光の同時照射の場合の比より大きい場合には、体動成分が脈拍成分に比べて十分に大きいので、体動成分と脈拍成分の分離が容易である。よって、その様な場合には、可視光を脈波検出用の検出光として採用することができる。これにより、精度良く検出光を決定することができる。
【０１３８】
また、体動が無い場合でも可視光及び赤外光の同時照射の出力は利用できる。可視光のみおよび赤外光のみの照射で脈波を検出した時に、いずれか一方のみでは脈波の振幅が不十分の場合には、同時照射にすることで脈波の感度を向上させ、その結果を利用して脈波を検出して脈拍数などを求めることも可能となる。
【０１３９】
尚、本発明は前記実施例になんら限定されるものではなく、本発明を逸脱しない範囲において種々の態様で実施しうることはいうまでもない。
例えば前記実施例５〜１０の処理は、前記実施例１の検出光の決定の後に行われることが望ましい。
また、光量を変えた場合に、オフセットの調整幅を変化させる手法は、脈波や体動の検出の際に採用できるだけでなく、前記実施例１の検出光の決定に際にも適用できる。
【符号の説明】
【０１４０】
１…脈波検出装置
３…データ処理装置
５…脈波センサ
７…駆動回路
１１…検出回路
１３…Ａ／Ｄ変換器
１５…マイクロコンピュータ
１６…Ｄ／Ａ変換器
１７…可視光ＬＥＤ
１９…赤外光ＬＥＤ
２１…フォトダイオード（ＰＤ）
【図１】
2011019973.tif 000003
【図２】
2011019973.tif 000004
【図６】
2011019973.tif 000005
【図７】
2011019973.tif 000006
【図８】
2011019973.tif 000007
【図９】
2011019973.tif 000008
【図１０】
2011019973.tif 000009
【図１１】
2011019973.tif 000010
【図１２】
2011019973.tif 000011
【図１３】
2011019973.tif 000012
【図１４】
2011019973.tif 000013
【図１５】
2011019973.tif 000014
【図１６】
2011019973.tif 000015
【図１７】
2011019973.tif 000016
【図１８】
2011019973.tif 000017
【図１９】
2011019973.tif 000018
【図２０】
2011019973.tif 000019
【図２１】
2011019973.tif 000020
【図２２】
2011019973.tif 000021
【図２３】
2011019973.tif 000022
【図３】
2011019973.tif 000023
【図４】
2011019973.tif 000024
【図５】
2011019973.tif 000025
【図２４】
2011019973.tif 000026